(57)【要約】【課題】  引出箱の収納スペースを広く且つ有効に確保し、しかも、引出箱の他側面のガイドを従来のガイドレールと比較して簡略化し、コストを低減すると共に、組み立て工数を削減すること。【解決手段】  前面に開閉自在な扉４が設けられたキャビネット１の上部に天板３を載設し、天板３と扉４との間に位置するようにキャビネット１の前面上部に配置される引出箱２の支持構造である。前面に取手部５を有する引出箱２の一側面２ａと対向するキャビネット１の側板６に、引出箱２の一側面２ａを引き出し方向にガイドするガイドレール７を設置し、引出箱２の一側面２ａとは反対側の他側面２ｂの略全長に亘って引き出し方向Ａに凹状又は凸状の滑りレール９を設けると共に、キャビネット１の前面上部に上記滑りレール９を案内する滑り部材１０を取り付けた。【選択図】        図１
2005143572.tif 000002
【特許請求の範囲】
【請求項１】
前面に開閉自在な扉が設けられたキャビネットの上部に天板を載設し、天板と扉との間に位置するようにキャビネットの前面上部に配置される引出箱の支持構造であって、前面に取手部を有する引出箱の一側面と対向するキャビネットの側板に、引出箱の一側面を引き出し方向にガイドするガイドレールを設置し、引出箱の一側面とは反対側の他側面の略全長に亘って引き出し方向に凹状又は凸状の滑りレールを設けると共に、キャビネットの前面上部に上記滑りレールを案内する滑り部材を取り付けたことを特徴とする引出箱の支持構造。
【請求項２】
上記滑り部材がキャビネットの前面上部に配置される幕板又は幕前板のいずれか一方に取り付けられることを特徴とする請求項１記載の引出箱の支持構造。
【発明の詳細な説明】
【技術分野】
【０００１】
本発明は、引出箱の支持構造に関し、詳しくは引出箱の他側面をガイドレールを用いないでガイドする技術に関するものである。
【背景技術】
【０００２】
従来から、図５に示すように、前面に開閉自在な扉４が設けられたキャビネット１の上部に、洗面ボウルが設けられた天板３を載設し、キャビネット１の前面上部に扉４の上方に位置するように幕前板１２を設置し、幕前板１２の両サイドを開閉可能な前カバー６１とし、この前カバー６１の背後に小物用収納部６０を設け、前カバー６１を開いて前面の開口部を解放させることで、小物用収納部６０に小物を収納できるようにした洗面化粧台が知られている（例えば、特許文献１参照）
ところが従来例にあっては、前カバー６１を手前に倒して小物用収納部６０の開口部を解放し、開口部から手を入れて中の小物を取り出すようにしている。このように従来の小物用収納部６０は固定式であるため、小物用収納部６０の奥まで手が届きにくく、頻繁に使用する小物類の収納には適さなかった。またキャビネット１内における側板６と洗面ボウルとの間の左右のスペースはそれぞれ未利用であり、キャビネット１の空きスペースを有効利用できる構造とはなっていなかった。
【特許文献１】実開昭６３−１５２４３６号公報
【発明の開示】
【発明が解決しようとする課題】
【０００３】
本発明は上記の従来の問題点に鑑みて発明したものであって、引出箱の収納スペースを広く且つ有効に確保でき、しかも、引出箱の他側面のガイドを従来のガイドレールと比較して簡略化でき、コストを低減できると共に、組み立て工数を削減できる引出箱の支持構造を提供することを課題とするものである。
【課題を解決するための手段】
【０００４】
上記課題を解決するために本発明にあっては、前面に開閉自在な扉４が設けられたキャビネット１の上部に天板３を載設し、天板３と扉４との間に位置するようにキャビネット１の前面上部に配置される引出箱の支持構造であって、前面に取手部５を有する引出箱２の一側面２ａと対向するキャビネット１の側板６に、引出箱２の一側面２ａを引き出し方向Ａにガイドするガイドレール７を設置し、引出箱２の一側面２ａとは反対側の他側面２ｂの略全長に亘って引き出し方向Ａに凹状又は凸状の滑りレール９を設けると共に、キャビネット１の前面上部に上記滑りレール９を案内する滑り部材１０を取り付けたことを特徴としている。
【０００５】
このような構成とすることで、引出箱２の他側面２ｂ側にガイドレール設置用の中仕切り板を設けたりする必要がなく、引出箱２の収納スペースを広く且つ有効に確保でき、しかも、引出箱２の他側面２ｂに沿って長尺の滑りレール９を取り付け、キャビネット１の前面上部に滑り部材１０を固定するという簡易な構造であるため、ガイドレール７と比較して構成部材を簡略化でき、コストを低減できると共に、組み立て工数を削減できるようになる。さらに、従来の固定式の小物用収納部と比較して、引出箱２の収納量を増加させることができる。
【０００６】
また上記滑り部材１０がキャビネット１の前面上部に配置される幕板１１又は幕前板１２のいずれか一方に取り付けられるのが好ましく、この場合、引出箱２の他側面２ｂを既存の幕板１１又は幕前板１２のいずれかを利用して支持できる構造となる。従って、既存のキャビネット１の設計変更が不要となり、製造上、コスト上においても有利となる。
【発明の効果】
【０００７】
本発明にあっては、引出箱の収納スペースを広くでき、しかも従来のガイドレールと比較して構成部材を簡略化でき、コストを低減できると共に、組み立て工数を削減できるようになり、そのうえ収納量を増加させることができ、とくに頻繁に使用するものの収納に最適となる。
【発明を実施するための最良の形態】
【０００８】
以下、本発明を添付図面に示す実施形態に基いて説明する。
【０００９】
本実施形態の洗面化粧台は、図１、図２に示すように、前面に開閉自在な扉４が設けられたキャビネット１の上部に、洗面ボウル１３が設けられた天板３が載設されている。そして、天板３と扉４との間に位置するようにキャビネット１の前面上部に幕前板１２が設置されている。この幕前板１２は、上端から下端になる程奥側に入り込むように傾斜しており、幕前板１２の両サイドに引出箱２がそれぞれ設けられている。さらに幕前板１２の下端と扉４の上端との間には幕板１１が架設されている。なお図１中の５４は天板３の止め金具である。
【００１０】
上記幕前板１２は中央部と両サイドとに３分割されており、幕前板１２の両サイドが、それぞれ引出箱２の取手部５付き前板１２ａを兼ねており、取手部５に手を掛けて引出箱２を手前に引き出せるようになっている。引出箱２は左右対称構造をしており、以下、右側の引出箱２について説明する。
【００１１】
引出箱２の前面は取手部５付き前板１２ａとなっており、引出箱２の一側面２ａにはその略全長に亘ってＣ形突条部８が突設されている。一方、引出箱２の一側面２ａと対向するキャビネット１の側板６には、ガイドレール７が設置されている。このガイドレール７は、図２（ｂ）に示すように、引出箱２の一側面２ａに取り付けたＣ形突条部８内にスライド挿入される横向きＴ字状に形成されている。もちろんガイドレール７の形状はこれには限定されず、引出箱２の一側面２ａをキャビネット１の側板６により走行支持できる構造であれば特に問わない。
【００１２】
一方、引出箱２の他側面２ｂには、その略全長に亘って引き出し方向Ａに凹状又は凸状の滑りレール９が設けられると共に、キャビネット１の前面上部の幕板１１に上記滑りレール９を案内するピース状の滑り部材１０が設けられる。ここで、長尺の滑りレール９は、図３に示すように、Ｌ形長尺取付部７０と一体形成されており、Ｌ形長尺取付部７０を引出箱２の他側面２ｂの下端角部に沿って取り付けた状態で、滑りレール９が引出箱２の他側面２ｂよりも内側に向って水平方向に突出するようになっている。なお図３中の８０は引出箱２の側板、８１は底板である。一方、滑り部材１０は、幕板１１の厚みと同程度の奥行き寸法Ｍ（図３（ａ））を有する短尺ピース状に形成されており、横向きコ字形の凹溝部３１とそれよりも下方に突出する取付板１０ａとが一体形成されており、凹溝部３１に滑りレール９が上下方向のガタツキのない拘束状態で遊嵌されており、取付板１０ａが幕板１１の後面にビス等で固定されている。これにより滑りレール９と滑り部材１０とを用いて引出箱２の他側面２ｂを案内できるようになっている。なお、滑り部材１０を幕板１１ではなく、幕前板１２側に取り付けてもよいものである。
【００１３】
また上記引出箱２は、洗面ボウル１３を回避するように洗面ボウル１３のＲ形状に沿った平面視Ｌ字形に形成されている。引出箱２内には取手部５付き前板１２ａよりも横幅Ｂの狭い本体収納凹所１４が設けられており、この本体収納凹所１４と取手部５付き前板１２ａとの間には本体収納凹所１４よりも横幅Ｃ（＞Ｂ）の広い小物用収納凹所１５が設けられている。これら本体収納凹所１４と小物用収納凹所１５と取手部５付き前板１２ａとは一体に形成されている。ここで、本体収納凹所１４は洗面ボウル１３の横のスペースを有効利用するものであり、一方、小物用収納凹所１５は洗面ボウル１３の前方のスペースを有効利用するものである。
【００１４】
ここにおいて、上記取手部５付き前板１２ａは、幕前板１２と同様、上端から下端になる程奥側に入り込むように傾斜しており、この前板１２ａの後側には、図４に示すように、側面視逆三角状のスペースが生じている。逆三角状のスペースの下隅部は収納スペースとせず、それよりも上を側面視略Ｕ字状の小物用収納凹所１５としている。この小物用収納凹所１５の深さＤは、図４のように本体収納凹所１４の深さＥよりも浅くなっている。なお本例では小物用収納凹所１５全体を一様に本体収納凹所１４よりも浅くしているが、これには限らず、他の例として、小物用収納凹所１５の一部に深い収納凹所を設けたり、本体収納凹所１４の一部に浅い収納凹所を設けたりすることも可能であり、要は、引出箱２と取手部５付き前板１２ａとの間に本体収納凹所１４よりも浅い小物用収納凹所１５が設けられていればよいものである。
【００１５】
引出箱２の使用例として、例えば、ヘアピン１８、櫛、口紅等の細いものは、浅い小物用収納凹所１５に寝かせて収納すれば、引出箱２を少し引き出すだけでその出し入れを素早く且つ簡単にできるようになる。またドライヤー等の大きい物は、後側の深い本体収納凹所１４に収納しておく。これにより、身づくろいする際には、引出箱２を少し開いて小物用収納凹所１５だけを使用できる状態にすることにより、身づくろいに必要な小物類を手の届く範囲で整然と使用できるようになり、しかも本体収納凹所１４まで引き出す必要がないため、引出箱２が邪魔になることもなく、引出箱２の利便性を改善できるものとなる。
【００１６】
しかして、引出箱２の他側面２ｂを滑り部材１０と滑りレール９とを介してキャビネット１の幕板１１に案内支持できるので、例えばガイドレール７を設置するための中仕切り板（或いは側板）を配置する必要がなく、従って、引出箱２の収納スペースの減少を防ぐことができる。しかも、引出箱２の他側面２ｂに沿って長尺の滑りレール９を取り付け、キャビネット１の幕板１１にピース状の滑り部材１０を固定するという簡易な構造であるため、ガイドレール７と比較して構成部材を簡略化でき、コストを低減できると共に、組み立て工数を削減できるという利点がある。
【００１７】
また、従来の固定式の小物用収納部と異なり、本発明では引出箱２であるため、収納物の出し入れが容易であり、とくに頻繁に使用するものの収納に最適となる。
【００１８】
また、滑りレール９を引出箱２の他側面２ｂの略全長に亘って取り付け、滑りレール９を案内する滑り部材１０をキャビネット１の幕板１１に取り付けているので、引出箱２の他側面２ｂを既存の幕板１１（或いは既存の幕前板１２）を利用して支持できる構造となる。従って、既存のキャビネット１の設計変更が不要となり、製造上、コスト上においてきわめて有利となる。
【００１９】
さらに、引出箱２の取手部５付き前板１２ａは幕前板１２の左右両サイドの一部を構成しており、しかも引出箱２を収納した状態で取手部５付き前板１２ａは幕前板１２の中央部と連続した一体感が得られるようになり、外観上の見栄えがよくなるという利点もある。
【００２０】
また本例では、洗面ボウル１３のＲ形状によって生じる横のスペースと前のスペースを、引出箱２の本体収納凹所１４と小物用収納凹所１５とに活用できるので、引出箱２の収納可能面積を増やすことができる。しかも、取手部５付き前板１２ａは上端から下端になる程奥側に入り込むように傾斜しているため、取手部５付き前板１２ａと引出箱２との間に形成される側面視逆三角状スペースを小物用収納凹所１５として利用でき、引出箱２の収納量を増加させることができる。
【００２１】
本発明に係る引出箱の支持構造は、洗面用キャビネットには限らず、一般のキャビネット１の分野にも広く適用可能である。なお、一般のキャビネット１において複数の引出箱２を横に隣接配置する場合においては、滑り部材１０の凹溝部３１を滑り部材１０の左右両側にそれぞれ形成した断面エ字状に形成してもよい。この場合において、隣接する一方の引出箱２の凸状の滑りレール９に一方の凹溝部３１を遊嵌し、隣接する他方の引出箱２の凸状の滑りレール９に他方の凹溝部３１を遊嵌すれば、１つの滑り部材１０を２つの引出箱２の左使いと右使いとに兼用できるようになり、コスト面及び構造上において有利となる。
【図面の簡単な説明】
【００２２】
【図１】本発明の一実施形態の平面図である。
【図２】（ａ）は同上の正面図、（ｂ）は（ａ）のＸ部におけるガイドレールの説明図である。
【図３】（ａ）は同上の滑りレールと滑り部材の平面図、（ｂ）は正面図である。
【図４】同上の引出箱の収納状態の側面図である。
【図５】（ａ）（ｂ）は従来の説明図である。
【符号の説明】
【００２３】
１  キャビネット
２  引出箱
２ａ  一側面
２ｂ  他側面
３  天板
４  扉
５  取手部
６  キャビネットの側板
７  ガイドレール
９  滑りレール
１０  滑り部材
１１  幕板
１２  幕前板
【図１】
2005143572.tif 000003
【図２】
2005143572.tif 000004
【図３】
2005143572.tif 000005
【図４】
2005143572.tif 000006
【図５】
2005143572.tif 000007